(57)【特許請求の範囲】
【請求項１】
シート・バックの背裏に組み付けられるシート・バック・ガーニッシュ本体と、そのシート・バック・ガーニッシュ本件の下端に寄せられてそのシート・バック・ガーニッシュ本体の背裏面に開口されるマガジン・ポケットと、そのシート・バック・ガーニッシュ本体のその下端にヒンジ結合されてそのマガジン・ポケットの開口を開閉するリッドと、そのマガジン・ポケットの開口縁の上側部分でその縁に沿って伸長されてそのマガジン・ポケットの底に開口されるスロットと、そのリッドの縁の上側部分側でそのリッドの裏面に突き出されてそのスロットに差し込み可能にされるフックと、スリットでそのフックの一方の側に分けられて並べられ、そのフックに逆の方向で振止め面に突き出されるリブを備え、そして、そのフックと一緒にそのスロットに差し込み可能にされる振止めとを含むシート・バック・ガーニッシュ。
【請求項２】
その振止めが、そのフックよりも短い請求項１に記載のシート・バック・ガーニッシュ。
【発明の詳細な説明】
【０００１】
【発明の関係する分野】
この発明は、乗用車、商業車、作業車、建設機械、農業機械などの車両シートに使用されるシート・バック・ガーニッシュに関する。
【０００２】
【背景技術】
この種の車両シートでは、シート・バックにマガジン・ポケット付きシート・バック・ガーニッシュを組み付ける傾向にある。そのポケットはそのシート・バック・ガーニッシュにヒンジ結合されるリッドを備え、そして、そのリッドは、フックを一体成形してそのフックをポケットのスロットに差し込んでそのリッドをロックするのが一般である。そのようなロック手段は別部分になるロック手段に比べてコストアップが避けられるが振動に加えて雑誌の重さでそのリッドやフックが捩れたりたわんでそのフックがそのスロットから外れ、そして、そのリッドが開く恐れがあった。
【０００３】
【発明の課題】
この発明の課題は、フックが振動や雑誌の重さで外れることを確実に阻止し、そして、そのフックの外れによってリッドが開かれてマガジン・ポケットが開放されることを未然に防止するところのシート・バック・ガーニッシュの提供にある。
【０００４】
【課題に相応する手段およびそれの作用】
この発明は、シート・バックの背裏に組み付けられるシート・バック・ガーニッシュ本体と、そのシート・バック・ガーニッシュ本件の下端に寄せられてそのシート・バック・ガーニッシュ本体の背裏面に開口されるマガジン・ポケットと、そのシート・バック・ガーニッシュ本体のその下端にヒンジ結合されてそのマガジン・ポケットの開口を開閉するリッドと、そのマガジン・ポケットの開口縁の上側部分でその縁に沿って伸長されてそのマガジン・ポケットの底に開口されるスロットと、そのリッドの縁の上側部分側でそのリッドの裏面に突き出されてそのスロットに差し込み可能にされるフックと、スリットでそのフックの一方の側に分けられて並べられ、そのフックに逆の方向で振止め面に突き出されるリブを備え、そして、そのフックと一緒にそのスロットに差し込み可能にされる振止めとを含み、そして、そのリブ付き振止めでそのフックをそのスロットの一方の側に片寄らせてそのフックをそのスロットの開口縁に引っ掛かり状態に維持する。
【０００５】
【具体例の説明】
以下、特定されて図示された具体例に基づいて、この発明のシート・バック・ガーニッシュを説明するに、図１ないし図４は、作業車のサスペンション型シート３０に適用されるこの発明のシート・バック・ガーニッシュの具体例１０を示し、そして、そこでは、そのサスペンション型シート３０は、シート・クッション３１およびシート・バック３２で組み立てられ、そして、メイン・シート・フレームがシート・クッション・フレームおよびシート・バック・フレームで組み立てられてコイル・スプリングおよびショック・アブソーバでベース・シート・フレームに吊り下げられるところの構造に作られている。
【０００６】
そのシート・バック・ガーニッシュ１０では、シート・バック・ガーニッシュ本体１１が、そのシート・バック３２の背裏に組み付け可能に硬質塩化ビニールから成形され、また、マガジン・ポケット１３が、そのシート・バック・ガーニッシュ本体１１の下端に寄せられてそのシート・バック・ガーニッシュ本体１１の背裏面１２に開口され、さらに、リッド１９が、硬質塩化ビニールから成形され、そして、そのシート・バック・ガーニッシュ本体１１のその下端にヒンジ結合されてそのマガジン・ポケット１３の開口１４を開閉可能にし、またさらに、スロット２２が、そのマガジン・ポケット１３の開口縁１５の上側部分でその縁１５に沿って伸長されてそのマガジン・ポケット１３の底１６に開口され、さらには、フック２３が、そのリッド１９の縁の上側部分側でそのリッド１９の裏面２０に突き出されてそのスロット２２に差し込み可能にされ、またさらには、振止め２４，２４が、スリット２７，２７でそのフック２３の両側に分けられて並べられ、そのフック２３に逆の方向で振止め面２５，２５に突き出されるリブ２６，２６を備え、そして、そのフック２３と一緒にそのスロット２２に差し込み可能にされる。
【０００７】
そのマガジン・ポケット１３は、そのシート・バック・ガーニッシュ本体１１のその背裏面１２に隆起されるリブ１７でその開口縁１５を形成し、そして、そのリブ１７の上側部分に窪み１８を形成して指を差し込んでそのフック２３の外し操作を容易にする。
【０００８】
そのリッド１９は、その裏面２０にフレーム・フランジ２１を突き出し、そして、そのフレーム・フランジ２１をそのマガジン・ポケット１３にはめ込んで閉じられる。そのように、そのフレーム・フランジ２１は、そのリッド１９をそのマガジン・ポケット１３にいんろうはめ合わせする。
【０００９】
そのフック２３および振止め２４，２４は、そのフレーム・フランジ２１の上側部分に並べられて突き出されてそのリッド１９に一体的に成形される。そして、その振止め２４，２４は、そのリブ２６，２６がそのフック２３に逆の方向になるその振止め面２５，２５に隆起されるので、そのフック２３と一緒にそのスロット２２に差し込まれると、そのスロット２２内でそのフック２３を上側に片寄らせてそのフック２３をそのスロット２２の開口縁に引っ掛かり状態に維持する。また、そのように機能するその振止め２４，２４は、そのフック２３よりも短くされている。
【００１０】
したがって、そのリッド１９が閉じられてそのフック２３がその振止め２４，２４と一緒にそのスロット２２に差し込まれると、そのフック２３は、その振止め２４，２４によってそのスロット２２内で上側に片寄らされてそのスロット２２の開口縁に引っ掛かり状態に維持され、そして、その作業車の振動やそのマガジン・ポケット１３に収納されている雑誌の重さでそのフック２３の外れが確実に阻止され、そして、そのフック２３の外れによってそのリッド１９が開かれてそのマガジン・ポケット１３が開放されるのが未然に防止される。
【００１１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明のシート・バック・ガーニッシュは、シート・バックの背裏に組み付けられるシート・バック・ガーニッシュ本体と、そのシート・バック・ガーニッシュ本件の下端に寄せられてそのシート・バック・ガーニッシュ本体の背裏面に開口されるマガジン・ポケットと、そのシート・バック・ガーニッシュ本体のその下端にヒンジ結合されてそのマガジン・ポケットの開口を開閉するリッドと、そのマガジン・ポケットの開口縁の上側部分でその縁に沿って伸長されてそのマガジン・ポケットの底に開口されるスロットと、そのリッドの縁の上側部分側でそのリッドの裏面に突き出されてそのスロットに差し込み可能にされるフックと、スリットでそのフックの一方の側に分けられて並べられ、そのフックに逆の方向で振止め面に突き出されるリブを備え、そして、そのフックと一緒にそのスロットに差し込み可能にされる振止めとを含むので、この発明のシート・バック・ガーニッシュでは、そのリッドが閉じられてそのフックがそのリブ付き振止めと一緒にそのスロットに差し込まれると、そのフックがそのリブ付き振止めでそのスロットの一方の側に片寄せられてそのスロットの開口縁に引っ掛かり状態、所謂、外止め状態に維持され、そして、そのフックが振動や雑誌の重さで外れることを確実に阻止され、そしてそれに伴ってそのリッドが開かれてそのマガジン・ポケットが開放されることが未然に防止され、そして加えて、コストアップが避けられ、その結果、乗用車、商業車、作業車、建設機械、農業機械などのシートにとって非常に有用で実用的である。
【図面の簡単な説明】
【図１】この発明のシート・バック・ガーニッシュの具体例を組み付けるところの作業車のサスペンション型シートを後方から見た斜視図である。
【図２】図１の２−２線に沿って示した断面図である。
【図３】図２を部分的に拡大した断面図である。
【図４】フックおよびリブ付き振止めを下から見た平面図である。
【符号の説明】
１１    シート・バック・ガーニッシュ
１２    背裏面
１３    マガジン・ポケット
１９    リッド
２２    スロット
２３    フック
２４    振止め
２５    振止め面
２６    リブ
２７    スリット
【図１】
0003631346.tif 000002
【図２】
0003631346.tif 000003
【図３】
0003631346.tif 000004
【図４】
0003631346.tif 000005